(57)【要約】【課題】簡単な構成且つ制御により、容易に記録媒体の幅寄せを行うことができる記録媒体幅寄せ装置を提供する。【解決手段】この記録媒体幅寄せ装置１は、例えば、証書発行装置や伝票発行装置等に設けられ、証書や伝票等の用紙Ｐに印字する際に、当該用紙Ｐを搬送路５上の基準位置に幅寄せする。記録媒体幅寄せ装置１は、ベースブランケット１０に回動自在に取り付けられた幅寄せ部材２を駆動源３（ソレノイド３１及びコイルバネ３２）により制御して、用紙Ｐの幅寄せを行う。幅寄せ部材２は、アーム２１、ローラ２２、及びワンウェイクラッチ２３を用いて組み立てられる。アーム２１は、長手方向の一端を回動自在に取り付け、他端に円柱状のローラ軸ピン２１３を設ける。アーム２１は、ローラ軸ピン２１３に、ワンウェイクラッチ２３を嵌め込んだローラ２２を挿入して取り付ける。【選択図】  図１
2010280483.tif 000002
【特許請求の範囲】
【請求項１】
搬送路に沿って搬送されている記録媒体を、該搬送路の一方の側面に立設した基準サイドフレームに引き寄せる記録媒体幅寄せ装置であって、
一方の端部を前記搬送路の幅方向に回動自在に取り付けた幅寄せ部材と、
前記幅寄せ部材を前記搬送路の幅方向に回動させる駆動力を与える駆動源と、を備え、
前記幅寄せ部材は、前記搬送路側に位置する他方の端部に、ワンウェイクラッチを介して取り付けたローラを有し、
前記ワンウェイクラッチは、前記幅寄せ部材が前記基準サイドフレーム側に回動しているとき、前記ローラの回転を停止する記録媒体幅寄せ装置。
【請求項２】
前記駆動源は、弾性力を有する復帰部材と、ソレノイドと、該ソレノイドが通電すると引っ張る力を有す引張部材と、からなり、
通電時は、前記引張部材が引っ張る力により、前記幅寄せ部材が前記基準サイドフレーム側に回動し、
非通電時は、前記復帰部材の引張応力により、前記幅寄せ部材が前記基準サイドフレームと反対側に回動する請求項１に記載の記録媒体幅寄せ装置。
【請求項３】
前記復帰部材は、前記搬送路の幅方向との成す角が鋭角となり、前記搬送路の方向に引張応力が働くように取り付けられる請求項２に記載の記録媒体幅寄せ装置。
【請求項４】
前記幅寄せ部材は、前記一方の端部から前記他方の端部の方向に変位するように、回動自在に取り付けられる請求項１〜請求項３のいずれかに記載の記録媒体幅寄せ装置。
【請求項５】
前記ローラは、弾性力を有する保護部材で囲われている請求項１〜請求項４のいずれかに記載の記録媒体幅寄せ装置。
【発明の詳細な説明】
【技術分野】
【０００１】
本発明は、証書や伝票等の記録媒体を搬送する際に、搬送路の基準位置に幅寄せする記録媒体幅寄せ装置に関する。
【背景技術】
【０００２】
証書や伝票等の記録媒体に情報を記録する際には、記録媒体の正確な位置に情報を記録する必要がある。搬送路の幅は、記録媒体の幅より広くなっている。従来、搬送時における記録媒体の幅方向のずれや傾きを解消するものとして、記録媒体を搬送路の基準位置に幅寄せする記録媒体幅寄せ装置が各種提案されている（例えば、特許文献１参照）。
【０００３】
特許文献１に記載された用紙幅寄せ装置は、駆動源に接続された第１アーム及び第１アームに回動自在に接続された第２アームを備える。用紙幅寄せ装置は、駆動源により第１アーム及び第２アームの移動を制御して、第２アームの先端に取り付けられたローラにより用紙の幅寄せを行う。用紙幅寄せ装置は、第１アームに対する第２アームの回動量を制御することで、用紙の幅寄せ時にその厚さに応じた押圧力を与え、用紙の幅寄せ後にローラが用紙に当接しないようにしている。
【先行技術文献】
【特許文献】
【０００４】
【特許文献１】実開平５−６９０１０号公報
【発明の概要】
【発明が解決しようとする課題】
【０００５】
特許文献１に記載された用紙幅寄せ装置は、用紙の幅寄せを行う際に、第１アーム及び第２アームの移動を制御するだけでなく、第１アームに対する第２アームの回動量についても制御する必要がある。特に、用紙幅寄せ装置は、搬送する用紙の厚みに応じて、第１アームに対する第２アームの回動量を変更するため、制御が複雑になってしまう。
【０００６】
そこで、本願は、簡単な構成且つ制御を行うだけで、記録媒体の幅寄せを容易に行うことができる記録媒体幅寄せ装置を提供することを目的とする。
【課題を解決するための手段】
【０００７】
この発明の記録媒体幅寄せ装置は、幅寄せ部材の一端にワンウェイクラッチを有すローラを設け、当該幅寄せ部材の他端を搬送路の幅方向に回動自在に取り付けている。記録媒体幅寄せ装置は、駆動源（例えば、ソレノイド等）からの駆動力により幅寄せ部材を回動させて、搬送路上の記録媒体（証書や伝票等）を、搬送路の一側面に立設した基準サイドフレームへ引き寄せて幅寄せする。このワンウェイクラッチは、幅寄せ部材が基準サイドフレームへ回動しているときに、ローラの回転を制限する。
【０００８】
これにより、記録媒体幅寄せ装置は、ワンウェイクラッチを有すローラを備えた幅寄せ部材１本と、該幅寄せ部材の回動を制御する駆動源と、を備えた、簡単な構成且つ制御により、容易に記録媒体の幅寄せを行うことができる。
【０００９】
記録媒体幅寄せ装置は、弾性力を有する復帰部材（例えば、コイルバネや板バネ等）と、ソレノイドと、該ソレノイドが通電すると幅寄せ部材を引っ張る引張部材（例えば、ワイヤー）と、を備える構成としてもよい。この場合、記録媒体幅寄せ装置は、ソレノイドの通電時、引張部材が引っ張る力により、幅寄せ部材が基準サイドフレーム側に回動し、非通電時、復帰部材の引張応力により、幅寄せ部材が基準サイドフレームの反対側に回動する。
【００１０】
これにより、記録媒体幅寄せ装置は、ソレノイドの通電を制御するだけで、記録媒体の幅寄せを行うことができる。また、記録媒体幅寄せ装置は、ソレノイドを通電させると、引張部材を用いて、幅寄せ部材を回動させるため、ソレノイドと幅寄せ部材とをそれぞれ離間した位置に設置することができる。このため、記録媒体幅寄せ装置は、幅寄せ部材の取付位置の付近にスペースがない場合であっても、ソレノイドを別の場所に設置することできるため、当該幅寄せ部材の取付位置の付近にソレノイドを設置するスペースを設ける必要がない。
【００１１】
記録媒体幅寄せ装置は、搬送路の幅方向との成す角が鋭角となり、且つ搬送路の方向に引張応力が働くように、復帰部材を取り付ける構成としてもよい。
【００１２】
これにより、記録媒体幅寄せ装置は、復帰部材が幅寄せ部材を搬送路の方向に引っ張るため、幅寄せ部材が用紙を押圧して、幅寄せを行うことができる。
【００１３】
記録媒体幅寄せ装置の幅寄せ部材は、幅寄せ部材を取り付けた一端からローラを設けた他端への方向に変位して回動する構成としてもよい。
【００１４】
これにより、記録媒体幅寄せ装置は、幅寄せ部材が記録媒体を押圧する方向に変位するため、記録媒体の厚みに応じた押圧力を付与することができ、どのような厚みの記録媒体であっても幅寄せを行うことができる。
【００１５】
記録媒体幅寄せ装置は、弾性力を有する保護部材（例えば、ウレタンやゴム等）でローラを囲う構成としてもよい。
【００１６】
これにより、記録媒体幅寄せ装置は、弾性力を有する保護部材が記録媒体に当接するため、記録媒体を傷めない。
【発明の効果】
【００１７】
この発明の記録媒体幅寄せ装置は、簡単な構成且つ制御により、容易に記録媒体の幅寄せを行うことができる。
【図面の簡単な説明】
【００１８】
【図１】記録媒体幅寄せ装置の使用例を示す図である。
【図２】幅寄せ部材の外観図である。
【図３】幅寄せ部材の外観図である。
【図４】駆動源の外観図である。
【図５】駆動源の外観図である。
【図６】記録媒体幅寄せ装置の外観図である。
【図７】記録媒体幅寄せ装置の外観図である。
【図８】記録媒体幅寄せ装置の動作を示す図である。
【図９】記録媒体幅寄せ装置の動作を示す図である。
【図１０】記録媒体幅寄せ装置の動作を示す図である。
【図１１】記録媒体幅寄せ装置の動作を示す図である。
【図１２】記録媒体幅寄せ装置の動作を示す図である。
【発明を実施するための形態】
【００１９】
この発明の実施形態に係る記録媒体幅寄せ装置１について、図を参照して説明する。図１は、記録媒体幅寄せ装置の使用例を示す図である。図１に示すように、この記録媒体幅寄せ装置１は、例えば、証書発行装置や伝票発行装置等に設けられ、証書や伝票等の記録媒体（以下、用紙と称す。）Ｐを搬送路５上の基準位置に幅寄せする。
【００２０】
記録媒体幅寄せ装置１は、ベースブランケット１０に回動自在に取り付けられた幅寄せ部材２を駆動源３（ソレノイド３１及びコイルバネ３２（本発明の復帰部材に相当する。））により制御して、用紙Ｐの幅寄せを行う。以下、説明の簡単化のため、用紙Ｐを基準位置に幅寄せする幅寄せ方向を−Ｘ方向とし、幅寄せ方向と反対方向をＸ方向とする。搬送路５からベースブランケット１０へ向かう方向をＹ方向とし、ベースブランケット１０から搬送路５へ向かう方向を−Ｙ方向とする。紙面裏から紙面表への方向をＺ方向とし、紙面表から紙面裏への方向を−Ｚ方向とする。
【００２１】
まず、幅寄せ部材２について、図２，３を参照して説明する。図２，３は、幅寄せ部材の外観図である。図２は、分解図を示し、図３は、完成図を示す。図２，３に示すように、幅寄せ部材２は、アーム２１、ローラ２２、及びワンウェイクラッチ２３を備える。
【００２２】
アーム２１は、金属板からなり、断面がコの字状となる折り返し部２１４を長手方向の一端に形成し、ローラ軸ピン２１３を長手方向の他端に設ける。このローラ軸ピン２１３は、折り返し部２１４と反対側に突出するように設けられる。なお、折り返し部２１４は、３枚の金属板を溶接して形成してもよい。また、アーム２１は、金属板に限らず、プラスチックや木材を加工してもよい。また、ローラ軸ピン２１３は、折り返し部２１４と同じ側に突出するように設けてもよい。
【００２３】
アーム２１は、折り返し部２１４から長手方向に沿って、長穴２１１Ａ、丸穴２１２Ａを順に形成する。この際、アーム２１は、自身の長手方向が長径となるように長穴２１１Ａを形成する。また、アーム２１は、ローラ軸ピン２１３を設けた側から平面視して、長穴２１１Ａ、丸穴２１２Ａと重なるように、折り返し部２１４に長穴２１１Ｂ、丸穴２１２Ｂ（不図示）を形成する。
【００２４】
アーム２１は、折り返し部２１４を形成した側を上方とし、アーム軸ピン２１３を設けた側から見て、ローラ２２が時計周りにのみ回転するように、ワンウェイクラッチ２３を嵌め込んだローラ２２がローラ軸ピン２１３に挿入されている。このローラ２２は、ウレタンやゴム等の弾性力を有する保護部材で囲われている。
【００２５】
次に、駆動源３について、図４，５を参照して説明する。図４，５は、駆動源の外観図である。図４は、分解図を示し、図５は、完成図を示す。図４，５に示すように、駆動源３は、ソレノイド３１、ワイヤー（本発明の引張部材に相当する。）３３、及びコイルバネ３２を備える。
【００２６】
ソレノイド３１は、円柱状の引張部材３１１を先端に備え、ソレノイド固定ブラケット３４に固定される。このソレノイド３１は、通電すると引張部材３１１を所定位置から下げ、通電が終わると（非通電時）引張部材３１１を所定位置に戻す。また、引張部材３１１の先端には、ワイヤー３３を取り付ける。
【００２７】
次に、記録媒体幅寄せ装置１について、図６，７を参照して説明する。図６，７は、記録媒体幅寄せ装置の外観図である。図６は、分解図を示し、図７は、完成図を示す。
【００２８】
図６，７に示すように、記録媒体幅寄せ装置１は、ベースブランケット１０を搬送路５の上側（Ｙ方向）に設置する。ベースブランケット１０は、円柱状のアーム軸ピン１０１と先端を直角に屈曲することで形成した屈曲部１０２とを備える。アーム軸ピン１０１は、屈曲部１０２と同じ方向に向かって突出している。この屈曲部１０２は、コイルバネ３２を取り付けるバネ取付部１０２Ａを備える。バネ取付部１０２Ａは、アーム軸ピン１０１よりも搬送路５側（−Ｙ方向）に設けられる。
【００２９】
アーム軸ピン１０１には、幅寄せ部材２を取り付ける。この際、幅寄せ部材２は、幅寄せ部材２の長穴２１１Ａ、長穴２１１Ｂをアーム軸ピン１０１に挿入する。このため、幅寄せ部材２は、自身の長手方向に変位可能となり、且つアーム軸ピン１０１を回動軸として回動自在となる。
【００３０】
また、幅寄せ部材２には、シャフト４１を丸穴２１２Ａ、丸穴２１２Ｂに通して取り付ける。また、シャフト４１には、ソレノイド３１に接続されたワイヤー３３及びコイルバネ３２を中央より丸穴２１２Ｂ側に取り付け、Ｅリング４２を中央付近に取り付ける。幅寄せ部材２は、Ｅリング４２によりワイヤー３３及びコイルバネ３２がシャフト４１上を移動することを制限しているため、ワイヤー３３やコイルバネ３２からシャフト４１に力が加えられても、長穴２１１Ａ及び長穴２１１Ｂの短径の方向にほとんど回転しない。
【００３１】
コイルバネ３２は、一端が幅寄せ部材２のシャフト４１に取り付けられ、他端がベースブランケット１０のバネ取付部１０２Ａに取り付けられる。このコイルバネ３２は、搬送路５の幅方向との成す角（図１に示すΘ）が鋭角となるように、幅寄せ方向の反対方向（Ｘ方向）から、搬送路５の方向（−Ｙ方向）に向けて、伸ばした状態で取り付けられる。
【００３２】
コイルバネ３２は、引張応力が生じるため、幅寄せ部材２のシャフト４１を幅寄せ方向の反対方向（Ｘ方向）に引っ張るとともに、搬送路５の方向（−Ｙ方向）に引っ張る。すなわち、コイルバネ３２は、幅寄せ部材２を幅寄せ方向の反対方向（Ｘ方向）に回動するとともに、幅寄せ部材２により搬送路５上の用紙Ｐを押圧する。
【００３３】
また、ソレノイド３１は、通電すると、引張部材３１１を所定位置から下げて、ワイヤー３３を引っ張るため、シャフト４１を幅寄せ方向（−Ｘ方向）に引っ張る。ソレノイド３１は、通電を遮断すると（非通電時）、引張部材３１１を所定位置に戻して、ワイヤー３３を引っ張ることを辞めるため、コイルバネ３２の引張応力により、シャフト４１を幅寄せ方向の反対方向（−Ｘ方向）に引っ張る。このように、記録媒体幅寄せ装置１は、ソレノイド３１への通電を制御することで、アーム軸ピン１０１を回動軸として幅寄せ部材２を回動自在に制御することができる。
【００３４】
次に、記録媒体幅寄せ装置１の動作について、図８〜図１２を参照して説明する。図８〜図１２は、記録媒体幅寄せ装置の動作を示す図である。図８は、搬送部材の待機位置（用紙の幅寄せ前）を示し、図９は、幅寄せ時の途中経過を示す。図１０は、搬送部材の幅寄せ位置を示し、図１１は、待機位置へ戻す時の途中経過を示す。図１２は、搬送部材の待機位置（用紙の幅寄せ完了後）を示す。
【００３５】
図８に示すように、搬送路５は、搬送ガイドを自身の上下に設ける。搬送路５は、幅方向の長さが、用紙Ｐの幅方向の長さよりも長くなるように、搬送ガイドを設ける。また、搬送路５は、基準サイドフレーム５１を側壁に立設し、開口部５２を上の搬送ガイドに設ける。基準サイドフレーム５１は、用紙Ｐの幅寄せ時の基準位置として用いる。開口部５２は、幅寄せを行う個所であるため、用紙Ｐに印字する手前の搬送路５上に設ける。
【００３６】
記憶媒体幅寄せ装置１は、用紙Ｐの幅寄せを行わない待機時に、ソレノイド３１への通電を遮断する。この時、記憶媒体幅寄せ装置１は、コイルバネ３２の引張応力のみが働く。記憶媒体幅寄せ装置１は、コイルバネ３２が幅寄せ部材２のシャフト４１を幅寄せ方向の反対方向（Ｘ方向）に引っ張るため、幅寄せ部材２を幅寄せ方向の反対方向（Ｘ方向）に回動させて待機位置へ配置する。
【００３７】
なお、記録媒体幅寄せ装置１は、コイルバネ３２が幅寄せ部材２のシャフト４１を搬送路５の方向（−Ｙ方向）に引っ張るが、待機位置では幅寄せ部材２が搬送路５面に対して傾斜するため、搬送路５の方向（−Ｙ方向）にほとんど変位しない。
【００３８】
記録媒体幅寄せ装置１は、用紙Ｐの幅寄せを行う際に、ソレノイド３１へ通電する。この時、図９に示すように、記録媒体幅寄せ装置１は、コイルバネ３２の引張応力よりもソレノイド３１がワイヤー３３を介して引っ張る力が大きくなる。記録媒体幅寄せ装置１は、ワイヤー３３が幅寄せ部材２のシャフト４１を幅寄せ方向（−Ｘ方向）に引っ張るため、幅寄せ部材２が幅寄せ方向（−Ｘ方向）に回動する。幅寄せ部材２のローラ２２は、ワンウェイクラッチ２３により、回転が制限される。
【００３９】
また、記録媒体幅寄せ装置１は、コイルバネ３２がシャフト４１を搬送路５の方向（−Ｙ方向）に引っ張るため、幅寄せ部材２を搬送路５の方向（−Ｙ方向）に変位させて、そのローラ２２で搬送路５上の用紙Ｐを押圧する。この時、記録媒体幅寄せ装置１は、幅寄せ部材２が搬送路５面に対して傾斜した状態から直立した状態を経て傾斜した状態に変位する。記録媒体幅寄せ装置１は、幅寄せ部材２の変位量が直立した状態で最大となり、用紙Ｐの厚みに応じて定まる。
【００４０】
この結果、記録媒体幅寄せ装置１は、ローラ２２で用紙Ｐを押圧しながら、幅寄せ方向（−Ｘ方向）に引き寄せて幅寄せする。図１０に示すように、記録媒体幅寄せ装置１は、用紙Ｐの先端が基準サイドフレーム５１に当接するまで、用紙Ｐの幅寄せを行う。
【００４１】
記録媒体幅寄せ装置１は、用紙Ｐの先端が基準サイドフレーム５１に当接すると、ソレノイド３１への通電を遮断する。図１１に示すように、記録媒体幅寄せ装置１は、コイルバネ３２の引張応力のみが働く。記憶媒体幅寄せ装置１は、コイルバネ３２が幅寄せ部材２のシャフト４１を幅寄せ方向の反対方向（Ｘ方向）に引っ張るため、幅寄せ部材２を幅寄せ方向の反対方向（Ｘ方向）に回動させて、幅寄せ部材２を待機位置へ配置する。幅寄せ部材２のローラ２２は、ワンウェイクラッチ２３により、紙面向かって時計回りに回転する。
【００４２】
また、記憶媒体幅寄せ装置１は、コイルバネ３２がシャフト４１を搬送路５の方向（−Ｙ方向）に引っ張るため、幅寄せ部材２を搬送路５の方向（−Ｙ方向）に変位させて、そのローラ２２で搬送路５上の用紙Ｐを押圧する。この時、記録媒体幅寄せ装置１は、幅寄せ部材２が搬送路５面に対して傾斜した状態から直立した状態を経て傾斜した状態に変位する。記録媒体幅寄せ装置１は、幅寄せ部材２の変位量が直立した状態で最大となり、用紙Ｐの厚みに応じて定まる。
【００４３】
この結果、記録媒体幅寄せ装置１は、ローラ２２が用紙Ｐ上を回転するため、用紙Ｐを幅寄せ方向の反対方向（Ｘ方向）へほとんど引き寄せない。図１２に示すように、記録媒体幅寄せ装置１は、幅寄せ部材２を待機位置へ戻す。
【００４４】
以上のように、記録媒体幅寄せ装置１は、ソレノイド３１の通電を制御するだけで、用紙Ｐの幅寄せを行うことができる。すなわち、記録媒体幅寄せ装置１は、簡単な構成且つ制御を行うだけで、用紙Ｐの幅寄せを容易に行うことができる。
【００４５】
また、記録媒体幅寄せ装置１は、幅寄せ部材２を回動自在に取り付けており、コイルバネ３２が幅寄せ部材２を搬送路５の方向（−Ｙ方向）に引っ張る。このため、記録媒体幅寄せ装置１は、幅寄せ部材２が用紙Ｐを押圧しながら、幅寄せを行うことができる。
【００４６】
また、記録媒体幅寄せ装置１は、幅寄せ部材２に設けた長穴２１１Ａ、長穴２１１Ｂにより、幅寄せ部材２を変位可能に取り付けている。このため、幅寄せ部材２は、用紙Ｐの厚みに応じて変位して、用紙Ｐを押圧する。すなわち、記録媒体幅寄せ装置１は、どのような厚みの用紙Ｐであっても、幅寄せを行うことができる。
【００４７】
また、記録媒体幅寄せ装置１は、用紙Ｐに当接するローラ２２が弾性力を有する保護部材で囲われているため、用紙Ｐの押圧時に、用紙Ｐを傷めない。
【００４８】
また、記録媒体幅寄せ装置１を証書発行装置や伝票発行装置等に設けた場合、記録媒体幅寄せ装置１は、用紙Ｐに印字を行う手前の搬送路５上に、幅寄せ部材２及びコイルバネ３２を配置する。記録媒体幅寄せ装置１は、証書発行装置や伝票発行装置等の空きスペースにソレノイド３１を設置する。そして、記録媒体幅寄せ装置１は、ソレノイド３１から幅寄せ部材２のシャフト４１にワイヤー３３を取り付ける。
【００４９】
このように、記録媒体幅寄せ装置１では、幅寄せ部材２の取付位置の付近にスペースがなくても、ソレノイド３１を離れた場所に設置することができるため、当該幅寄せ部材２の取付位置の付近にソレノイド３１を設置するスペースを設ける必要がない。この結果、記録媒体幅寄せ装置１は、幅寄せ部材２の取付位置の付近に新たにスペースを設けるという変更をしなくても、既存の証書発行装置や伝票発行装置等に適用することができる。
【符号の説明】
【００５０】
１…装置，１０…ベースブランケット，１０１…アーム軸ピン，１０２…屈曲部，１０２Ａ…バネ取付部，２…幅寄せ部材，２１…アーム，２１１Ａ，２１１Ｂ…長穴，２１２Ａ，２１２Ｂ…丸穴，２１３…ローラ軸ピン，２１４…折り返し部，２２…ローラ，２３…ワンウェイクラッチ，３…駆動源，３１…ソレノイド，３１１…引張部材，３２…コイルバネ，３３…ワイヤー，３４…ソレノイド固定ブラケット，４１…シャフト，４２…Ｅリング，５…搬送路，５１…基準サイドフレーム，５２…開口部，Ｐ…用紙
【図１】
2010280483.tif 000003
【図２】
2010280483.tif 000004
【図３】
2010280483.tif 000005
【図４】
2010280483.tif 000006
【図５】
2010280483.tif 000007
【図６】
2010280483.tif 000008
【図７】
2010280483.tif 000009
【図８】
2010280483.tif 000010
【図９】
2010280483.tif 000011
【図１０】
2010280483.tif 000012
【図１１】
2010280483.tif 000013
【図１２】
2010280483.tif 000014